(57)【要約】【課題】音量の調整ができるオルゴール装置を提供する。【解決手段】オルゴール発音機構１１のベース１４と取付部材１６とは、対面する三箇所にバネ定数の異なる圧縮コイルばね１８ａ，１８ｂ，１８ｃを挾装し、互いに離間する方向に付勢される。軸方向の移動がナット２６で規制され、固定ピン３０で回り止めされたカム部材２５のカム２４に、取付部材１６とカム部材２３の間に介装されて支軸２０の周りに回動自在に支持されたレバー２２のカムフォロア２２ｄが摺接する。レバー２２を回動してカムフォロア２２ｄのカム２４との接触位置を変えると、圧縮コイルばねを介して連設されたオルゴール発音機構１１のベース１４と取付部材１６との接触圧が変化するので、共鳴体１２への振動エネルギーの伝達量が変化し音量調整ができる。【選択図】　　図２
2004012678.tif 000002
【特許請求の範囲】
【請求項１】
曲を奏でるオルゴール発音機構と、その発音機構を取付ける取付部材を有する共鳴体からなるオルゴール装置において、前記オルゴール発音機構のフレームと前記取付部材とは前記オルゴール発音機構から発生する音の振動エネルギーの伝達制御が可能な制御部材を介して固定したことを特徴とするオルゴール装置。
【請求項２】
前記制御部材は、前記オルゴール発音機構のフレームと前記取付部材との接触圧を調整可能に装着したことを特徴とする請求項１に記載のオルゴール装置。
【請求項３】
前記制御部材は、弾性体であって、二箇所以上に設置される場合は、異なる寸法、形状、弾性率および取付条件を含むことを特徴とする請求項２に記載のオルゴール装置。
【請求項４】
前記接触圧は、前記弾性体の変形手段とこの変形手段と連動する手動操作部材との協働により調整可能であることを特徴とする請求項２または３に記載のオルゴール装置。
【発明の詳細な説明】
【０００１】
【発明の属する技術分野】
本発明は、曲目に応じて配列した振動弁を弾いてメロディを奏でるオルゴールに係わり、より具体的には、オルゴールの音量調整機構に関する。
【０００２】
【従来の技術】
従来のオルゴール装置は、一般に、ゼンマイ機構や電動モータによる駆動源の回転を調速された歯車機構を介して回転ドラムに伝達し、この回転ドラムに設けたピンで曲目に応じて配列された振動弁を順次弾くことによって所定のメロディを演奏するオルゴール発音機構を備え、このオルゴール発音機構を宝石箱や玩具の木箱ケース内に固定したものである。そして、音源である振動弁の振動を効率的に木箱ケース（ハウジング）内で共鳴させることにより音量の拡大を図っている。
【０００３】
【発明が解決しようとする課題】
ところが、共鳴体となる木箱ケースの材質や形状寸法およびムーブメントの取付構造が決定すると、聴取者が聞くオルゴールの演奏は音量が一定し、聴取者は周囲の環境やムードによってその都度好みの音量に調整して聞くことができない。
【０００４】
そこで本発明の目的は、高価な電気的拡声装置を利用することなく、簡単な構成で随時、音量が調整できるオルゴール装置を提供することである。
【０００５】
【課題を解決するための手段】
上記の目的を達成するために、本発明に係わるオルゴール装置は、曲を奏でるオルゴール発音機構と、その発音機構を取付ける取付部材を有する共鳴体からなるオルゴール装置において、前記オルゴール発音機構のフレームと前記取付部材とは前記オルゴール発音機構から発生する音の振動エネルギーの伝達制御が可能な制御部材を介して固定した。
【０００６】
そして、前記制御部材は、前記オルゴール発音機構のフレームと前記取付部材との接触圧を調整可能に装着した。さらに、前記制御部材は、弾性体であって、二箇所以上に設置される場合は、異なる寸法、形状、弾性率および取付条件を含むことが好ましい。しかも、前記接触圧は、前記弾性体の変形手段とこの変形手段と連動する手動操作部材との協働により調整可能である。
【０００７】
【発明の実施の形態】
以下に、本発明に係わるオルゴール装置の実施の形態を図面に基づいて説明する。図１は、本発明に係わるオルゴール装置の一実施例を示す平面図で、図２は図１の側面図である。いずれも内部の構成を明確にするために一部を破断して示してある。符号１０は上記実施例のオルゴール装置で、オルゴール発音機構１１は共鳴体１２内に設置される。なお、本発明に係わるオルゴール装置の実施の形態を説明するにあたりオルゴール発音機構１１としてシリンダ式オルゴールを図示したが、シリンダ式オルゴールの構成は公知であるので詳細な説明は省略する。
【０００８】
オルゴール発音機構１１を構成するフレーム１３のベース１４下面において、同一線状にない適当な距離に離間して安定な面を形成する三箇所に、ベース１４と一体にガイドピン１５ａ，１５ｂ，１５ｃが垂直に立設される。符号１６は取付部材で、共鳴体１２の一部として一体に形成され、オルゴール発音機構１１が装着される。ガイドピン１５ａ，１５ｂ，１５ｃは、取付部材１６の対応する三箇所に設けた透孔１７にそれぞれ挿入して位置決めされる。
【０００９】
各ガイドピン１５ａ，１５ｂ，１５ｃが挿通される透孔１７は、ベース１４に対向する側に大径部１７ａを形成し、ベース１４下面と取付部材１６との間に、制御部材としてのそれぞれバネ定数の異なる圧縮コイルばね１８ａ，１８ｂ，１８ｃが収容される。即ち、大径部１７ａの底面１７ｂとベース１４下面との間に挾装された圧縮コイルばね１８ａ，１８ｂ，１８ｃは、オルゴール発音機構１１のベース１４下面と取付部材１６とに圧着された両端で双方を離間する方向に付勢力を作用する。即ち、この圧縮コイルばね１８ａ，１８ｂ，１８ｃによってオルゴール発音機構１１から発生する音の振動エネルギーの伝達が制御される。符号２０は支軸で、ガイドピン１５ａ，１５ｂ，１５ｃが形成する三角形のほぼ重心位置に、ベース１４下面にほぼ垂直な自在継手結合で固設される。
【００１０】
支軸２０は取付部材１６の対応位置に設けた貫通孔２１に遊挿され、取付部材１６の反対面１６ａから突出する。そこで、突出した支軸２０の胴部２０ａに手動操作部材としてレバー２２の軸孔２２ａ（図４参照）が嵌挿される。レバー２２は、軸孔２２ａを囲むボス２２ｂに凸設した座面２２ｃを取付部材１６の反対面１６ａに摺接して支軸２０に回動自在に支持される。さらに、レバー２２のボス２２ｂには座面２２ｃと反対の面に、カムフォロア２２ｄがボス２２ｂの外周に沿って軸孔２２ａを中心とする対称位置の二箇所に凸設されて後述する変形手段のカム部材２５に対向する（図４参照）。
【００１１】
さらに変形手段として、レバー２２のボス２２ｂと対向するボス２３の片面２３ａにカム２４を凸設したカム部材２５は、ボス２３の中心孔２３ｂを支軸２０に嵌挿し、支軸２０先端部の雄ネジ２０ｂに螺入したナット２６で支持する。このとき、ナット２６の螺入位置は、カム２４の山面２４ａとレバー２２のカムフォロア２２ｄの頂点を当接させ、さらに、オルゴール発音機構１１のベース１４下面が取付部材１６の対向面１６ｂと密着させて設定する。カム部材２５のボス２３の外周から腕２７を延在させ、長手方向の中央に設けた一端が開口するＵ字溝２８を、取付部材１６に設けた固定ピン３０に係合して回り止めすると共に、カム２４を円周方向に対して位置決めする。なお、１６ｃは凸部である。
【００１２】
次に、オルゴール発音機構１１のベース１４と取付部材１６との接触圧を調整して音量を増減させる動作について説明する。接触圧は、弾性体である圧縮コイルばね１８ａ，１８ｂ，１８ｃの変形手段であるカム部材２５を手動操作部材のレバー２２で連動して調整する。図２は、図４（ｃ）に示されるカム２４の展開図において、レバー２２のカムフォロア２２ｄがカム２４の山面２４ａの範囲（７５°〜１５０°）に位置する場合を示す。すなわち、カム部材２５はナット２６を介して、圧縮コイルばね１８ａ，１８ｂ，１８ｃの付勢力に抗して支軸２０を牽引し、圧縮コイルばね１８ａ，１８ｂ，１８ｃの全てを圧縮状態にし、オルゴール発音機構１１のベース１４下面と取付部材１６の対向面１６ｂとの全面を密着位置に保持する。
【００１３】
このときオルゴール発音機構１１と取付部材１６とは全面で密着するので、オルゴール装置１０の演奏時には、オルゴール発音機構１１が発生する振動音が、効率よく共鳴体１２の一部をなす取付部材１６に伝達され、共鳴体１２から本実施例のオルゴール装置１０において最大の音量を得ることができる。
【００１４】
図３（ａ）は、レバー２２を旋回操作して、図４（ｃ）の展開図示によるカム２４の山面２４ａから谷面２４ｃに移行する斜面２４ｂの範囲（０°〜７５°）にカムフォロア２２ｄが位置する場合である。カムフォロア２２ｄが谷面２４ｃ方向に移行することで、レバーボス２２ｂとカム部材ボス２３ａとの対向面は互いに近接し、軸方向に伸長する変形または変位が許容された圧縮コイルばね１８ａ，１８ｂ，１８ｃは、それぞれの許容変位の範囲内で各バネ定数に応じて自由に伸長し、オルゴール発音機構１１のベース１４を取付部材１６から離間する方向に押圧させながら移動させる。この移動により、圧縮コイルばね１８ａ，１８ｂ，１８ｃの付勢力は緩和され、圧縮コイルばね１８ａ，１８ｂ，１８ｃの両端がベース１４と取付部材１６とに作用する接触圧が低下する。このため、オルゴール発音機構１１からの振動が伝達し難くなり音量が低減する傾向を示す。なお、１４ａは凸部である。
【００１５】
本実施例における圧縮コイルばね１８ａ，１８ｂ，１８ｃは、それぞれバネ定数が異なるため、それぞれの位置におけるオルゴール発音機構１１のベース１４と取付部材１６との接触圧は異なり、例えば図３（ａ）には、バネ定数の大きな圧縮コイルばね１８ａを装着したガイドピン１５ａの位置の隙間が、バネ定数の小さい圧縮コイルばね１８ｂ，１８ｃを装着したガイドピン１５ｂの位置の隙間より大きく例示されている。各圧縮コイルばね１８ａ，１８ｂ，１８ｃの合力は、取付部材１６と共にレバー２２およびカム部材２３を支軸２０に沿ってベース１４から離間方向に押圧させながら移動させる。カム部材２３はナット２６に圧着され、カム斜面２４ｂの各点において平衡し、安定に支持される。カム部材２３とナット２６との摺接面２６ａは球面座に形成して、カム部材２３と支軸２０の結合に自由度を付与する。
【００１６】
さらにレバー２２を旋回させ、図４（ｃ）に示すカム２４の展開図で、カム２４の谷面２４ｃ方向にレバー２２のカムフォロア２２ｄが移行すると、圧縮コイルばね１８ａ，１８ｂ，１８ｃはバネ定数の分布により、大きなものから順にガイドピン１５ａ，１５ｂ，１５ｃの位置におけるベース１４と取付部材１６の対向面の隙間を広げ、レバー２２の回動に従って、最初はバネ定数の低い二箇所を結ぶ部分で線接触し、次第に最もバネ定数の低い一箇所の点接触に移るために振動の伝達効率が漸減して音量は逓減する。
本実施の形態では、３つの圧縮コイルばね１８ａ，１８ｂ，１８ｃはそれぞれ異なるバネ定数にしているが、これに限るものではなく、３つの圧縮コイルばねのバネ定数が同じでもよい。なお、同じバネ定数の場合には、面接触の状態が不安定となり易く、ビビリ音を発生することも考えられるので、ビビリ音の発生を防止する機能を備える必要がある。例えば、ベース１４の下面（取付部材１６と対向する面）に、三箇所の凸部（１５Ａ，１５Ｂ，１５Ｃ）を設け、この凸部と取付部材１６を密着させてもよい。
【００１７】
最終的にカムフォロア２２ｄが谷面２４ｃに位置すると、ベース１４は、圧縮コイルばね１８ａ，１８ｂ，１８ｃの付勢力の合力で、取付部材１６に対向面が完全に離間した状態で支持される。従って、オルゴール発音機構１１が発する振動を共鳴体１２へ伝達する経路は、基本的にはベース１４と取付部材１６とに両端を圧接して挾装された圧縮コイルばね１８ａ，１８ｂ，１８ｃだけになる。圧縮コイルばね１８ａ，１８ｂ，１８ｃは振動吸収部材であるから、オルゴール発音機構１１が発する振動は支軸２０とナット２６による接触部分を除いてはほとんど共鳴体１２へ伝達されず、音量は最小になる。
【００１８】
以上、本発明に係わるオルゴール装置の一実施例を図面に基づいて説明したが、本発明は図示の実施例に限定されるものではなく、その形状や構成等について、本発明の構成要件から逸脱しない範囲で、細部に関する多様な変更や部品の再構成等の改変をなし得ることが予期される。例えば、接触圧の調整を圧縮コイルばねに代えて、ゴム製の円筒部材が使用できる。あるいは、波型棒材による線接触や板ばねを使った面接触で行ってもよい。また変形手段としては、カム部材の代わりにネジ部材の使用が可能であり、手動操作部材にはレバー以外にダイヤルやノブといった操作手段が適用できる。
さらに、共鳴体として木箱ケース（ハウジング）でなくともよく、板状の部材を取付部材を介してベースに取り付けてもよい。
また、フレームと前記取付部材とを制御部材を介して固定する手段についてシリンダ式オルゴールの実施例で説明したが、この手段はムーブメントの方式に関係なくディスク式オルゴールにも適用することができる。
【００１９】
【発明の効果】
以上の説明で明らかなように、本発明に係わるオルゴール装置は、請求項１の記載によれば、曲を奏でるオルゴール発音機構と、その発音機構を取付ける取付部材を有する共鳴体からなるオルゴール装置において、前記オルゴール発音機構のフレームと前記取付部材とは前記オルゴール発音機構から発生する音の振動エネルギーの伝達制御が可能な制御部材を介して固定したので、共鳴体に伝達される振動の一部が吸収されて、音量を自在に規制することができる。
【００２０】
さらに、請求項２の記載によれば、前記制御部材は、前記オルゴール発音機構のフレームと前記取付部材との接触圧を調整可能に装着したので、接触圧の大小により共鳴体に伝達される振動エネルギー量を変化させ、音量を上げ下げ自在に制御することができる。
【００２１】
その上、請求項３の記載によれば、前記制御部材は、弾性体であって、二箇所以上に設置される場合は、異なる寸法、形状、弾性率および取付条件を含むので、共鳴体に伝達される振動周波数と振動エネルギーの大きさが前記フレームと前記取付部材との結合態様によって異なり、音量とともに音質にも変化を与えることができる。
【００２２】
しかも、請求項４の記載によれば、前記接触圧は、前記弾性体の変形手段とこの変形手段と連動する手動操作部材との協働により調整可能であるので、レバーのような手動による単純な回動操作で、カム、ねじ、楔等による変形手段を介して弾性体の付勢力を変化させ、フレームと取付部材との接触圧を自在にしかも連続的に変化させて音量を増減させることが可能となる。従って、容易にオルゴールを聴く環境に適した音量や、好みに応じた音量でオルゴール演奏を楽しむことが可能となる。
【図面の簡単な説明】
【図１】本発明に係わるオルゴール装置の一実施例で一部を破断して内部の構成を透視した平面図である。
【図２】図１の実施例の一部を破断して内部の構成を示した側面図である。
【図３】本発明に係わるオルゴール装置における音量調整レバーによる音量調整動作を説明する部分的側面図で、（ａ）は中間音量の位置、（ｂ）は最低音量の位置を示す。
【図４】本発明に係わるオルゴール装置における音量調整レバーの部品図で、（ａ）は平面図、（ｂ）は側面図である。
【図５】本発明に係わるオルゴール装置における音量調整カム部材の部品図で、（ａ）は平面図、（ｂ）は側面図、（ｃ）はカムの高低変化を示す展開図である。
【符号の説明】
１０　オルゴール装置
１１　オルゴール発音機構
１２　共鳴体
１４　ベース
１５ａ，ｂ，ｃ　ガイドピン
１６　取付部材
１８ａ，ｂ，ｃ　圧縮コイルばね
２０　支軸
２２　レバー
２２ｄ　カムフォロア
２４　カム
２５　カム部材
２６　ナット
３０　固定ピン
【図１】
2004012678.tif 000003
【図２】
2004012678.tif 000004
【図３】
2004012678.tif 000005
【図４】
2004012678.tif 000006
【図５】
2004012678.tif 000007